(57)【特許請求の範囲】
【請求項１】
検査対象の画像データを取り込み、取り込んだ画像データを演算処理して欠陥を検出する演算制御部を有する画質検査装置において、
前記演算制御部は、
前記画像データの領域を隣り合う領域に重なりを持たせて複数領域に分割する分割領域設定手段と、
分割された各領域の形状に対して、欠陥形状・サイズに依存する抽出処理をすることなく、コントラストと、空間周波数に対する感度特性ＭＴＦを利用した認識限界感度モデルを使用して得られる認識限界コントラストとの比に基づいて欠陥強度を算出する、前記各領域に対する同一の特徴量計算手段と、
算出された前記欠陥強度と予め設定された閾値とを比較し、前記分割領域が欠陥であるか否かを判定する判定手段と、
を備えることを特徴とする画質検査装置。
【請求項２】
検査対象の画像データを取り込み、取り込んだ画像データを演算処理して欠陥を検出する演算制御部を有する画質検査装置において、
前記演算制御部は、
取り込んだ前記画像データより複数の反対色画像データを生成する反対色画像生成手段と、
前記反対色画像データ毎にその領域を隣り合う領域に重なりを持たせて複数領域に分割する分割領域設定手段と、
分割された各領域の形状に対して、欠陥形状・サイズに依存する抽出処理をすることなく、コントラストと、空間周波数に対する感度特性ＭＴＦを利用した認識限界感度モデルを使用して得られる認識限界コントラストとの比に基づいて反対色成分毎の欠陥強度を算出する、前記各領域に対する同一の特徴量計算手段と、
算出された前記欠陥強度と予め設定された閾値とを比較し、前記分割領域が欠陥であるか否かを判定する判定手段と、
を備えることを特徴とする画質検査装置。
【請求項３】
前記演算制御部は、取り込んだ前記画像データに対してシェーディング補正、縮小処理及び平滑化処理の少なくともいずれかを実行する画像補正手段を備えることを特徴とする請求項１または２に記載の画質検査装置。
【請求項４】
前記演算制御部は、取り込んだ前記画像データに対して多段階の縮小処理及び平滑化処理を実行する画像補正手段を備えることを特徴とする請求項１乃至３のいずれかに記載の画質検査装置。
【請求項５】
前記演算制御部は、各分割領域において前記判定手段により欠陥である判定された欠陥強度より分類特徴量を算出し、予め設定している閾値と比較して欠陥種類を分類する欠陥分類手段を備えることを特徴とする請求項１乃至４のいずれかに記載の画質検査装置。
【請求項６】
前記欠陥分類手段は、予め設定している前記閾値との比較において分類できない欠陥強度領域を新規の欠陥として分類することを特徴とする請求項５に記載の画質検査装置。
【請求項７】
検査対象の画像データを取り込んで前記演算制御部に渡す画像取り込み部と、前記演算制御部より渡される画質検査結果を表示する表示部を備えることを特徴とする請求項１乃至６のいずれかに記載の画質検査装置。
【請求項８】
検査対象の前記画像データは、赤、緑、青の各波長帯域の光を夫々透過させるフィルタとモノクロカメラを具備する撮像機器より取得することを特徴とする請求項１乃至７のいずれかに記載の画質検査装置。
【請求項９】
検査対象の前記画像データは、シアン、マゼンタ、イエローの各波長帯域の光を夫々透過させるフィルタとモノクロカメラを具備する撮像機器より取得することを特徴とする請求項１乃至７のいずれかに記載の画質検査装置。
【請求項１０】
検査対象の前記画像データは、色関数の各波長帯域の光を夫々透過させるＸＹＺフィルタとモノクロカメラを具備する撮像機器より取得することを特徴とする請求項１乃至７のいずれかに記載の画質検査装置。
【請求項１１】
検査対象の前記画像データは、ｘｙ表色系等で示される色度図上の独立した少なくとも３点の色度フィルタとモノクロカメラを具備する撮像機器より取得することを特徴とする請求項１乃至７のいずれかに記載の画質検査装置。
【請求項１２】
前記演算制御部は、前記検査対象の色度情報を２次元色彩計より取得することを特徴とする請求項１乃至１１のいずれかに記載の画質検査装置。
【請求項１３】
前記演算制御部は、事前に取得したカメラの感度特性情報を取得し、反対色成分への変換を実行することを特徴とする請求項乃１至１２のいずれかに記載の画質検査装置。
【請求項１４】
前記カメラの感度特性情報は、カメラ出力値−三刺激値変換パラメータあるいはカメラ出力値−輝度値変換パラメータのいずれかであることを特徴とする請求項１３に記載の画質検査装置。
【請求項１５】
前記検査対象の色度情報を計測する分光輝度計により取得される情報から、前記カメラの感度特性情報を生成する変換パラメータ生成手段を備えることを特徴とする請求項１３または１４に記載の画質検査装置。
【請求項１６】
前記演算制御部は、前記検査対象の各反対色成分に対するＭＴＦ特性パラメータを外部から取得することを特徴とする請求項１乃至１５のいずれかに記載の画質検査装置。
【請求項１７】
前記モノクロカメラは、撮像素子と撮像レンズの間に複屈折素子を具備することを特徴とする請求項８乃至１１のいずれかに記載の画質検査装置。
【請求項１８】
前記演算制御部は、比較する２組の画像データを入力し、２組の総合的な欠陥強度を比較することにより、画像劣化、印刷物変化、塗装物変化の少なくともいずれかを判定することを特徴とする請求項１乃至１７のいずれかに記載の画質検査装置。
【請求項１９】
前記画像データは、参照光源を撮像する検査対象撮像デバイスまたは検査対象撮像デバイスから投影される画像を撮影する撮像機器より取得することを特徴とする請求項８乃至１８のいずれかに記載の画質検査装置。
【発明の詳細な説明】
【技術分野】
【０００１】
本発明は、撮像デバイス（ＣＣＤ、ＣＭＯＳ等）、表示デバイス（ＬＣＤ、ＰＤＰ、有機ＥＬ等）、及び投影デバイス(プロジェクタ等)の画質検査工程において、輝度ムラ及び色ムラ欠陥を目視検査に代わって自動的に検出を行う画質検査装置に関するものである。
【背景技術】
【０００２】
表示デバイスの製造工程では、組立工程に移行する前にパネル単体で欠陥検査が行われている。これはパネル製造工程で発生する画素欠陥を検査し、組立て前に欠陥箇所のリペアを行ったり、リペア不可能なパネルは次工程に送らず処分するためである。
【０００３】
従来のような検査員による目視検査では、個体差、バラツキが多く、高精度に検査することが困難である。また、近年の表示デバイスの大型化、高精細化に伴い、広範囲を短時間で検査することも困難になっているため、ムラ欠陥の検査においても自動検査装置への代替が望まれている。
【０００４】
検査対象は、表示デバイス、撮像デバイス、投影デバイス上に生じるムラ欠陥である。ムラは、製造工程におけるガラス基板の膜厚の変化や、カラーフィルタの膜厚の変化、液晶の配向異常など様々な要因によって生じる。
【０００５】
図２７は、ムラ欠陥の例を示すイメージ図である。図２７（Ａ）〜（Ｄ）に示すように、塊状のムラや帯状のムラ等、形状、向き、発生位置、サイズ（周波数）は様々であり、また白黒の明暗変化として見える輝度ムラだけでなく、色づいて見えたりするような色ムラも発生する
【０００６】
ＭＴＦ（Modulation Transfer Function）特性を利用した画質検査装置については、特許文献１に技術開示がある。尚、ＭＴＦによる輝度ムラ強度の定量化手法については非特許文献１に解説があり、周知の技術である。
【０００７】
図２８は、表示デバイスを検査対象とする画質検査システムの基本構成図である。パネル状の検査対象表示デバイス１０に正対する位置に、撮像機器２０が配置されている。撮像機器２０は、撮影レンズを組合せた高画素ＣＣＤを備えるモノクロカメラ２１で構成され、被検査パネルに対して精度よく上下、左右とも傾き調整をした状態で設置してある。
【０００８】
撮像された画像データ３０は、画像演算ＰＣ４０に入力される。画像演算ＰＣ４０は、画像取込部５０と、取り込んだ画像データを演算処理して欠陥を検査する演算制御部６０よりなる。画像演算ＰＣ４０による検査結果は、ＬＣＤディスプレイや上位サーバ等の表示部７０に出力、転送される。
【０００９】
図２９は、従来の画質検査装置の構成例を示す機能ブロック図である。画像データ３０は、画像取込部５０が備える画像ボード等の画像取り込み手段５１で画像演算ＰＣ４０に取り込まれ、演算制御部６０に渡される。
【００１０】
演算制御部６０は、入力される画像データのノイズ補正を行う画像補正手段６１、欠陥候補を抽出する欠陥候補抽手段６２、抽出された欠陥候補の面積、体積、コントラスト等の特徴量を計算する特徴量計算手段６３、計算された特徴量と予め設定された閾値とを比較して欠陥であるか否かを判断する判定手段６４で構成される。判定手段６４の判定結果は、表示部７０に画質検査結果７１として出力される。
【００１１】
ここで、ＭＴＦによる輝度ムラ強度の定量化手法の概要を説明する。この手法は、欠陥の強度を、その欠陥のコントラストとその欠陥形状に対する認識限界（ＪＮＤ：Just Ｎoticeable Deference）コントラストとの比で表現し、“Ｓｅｍｕ”という単位で、客観的な計量値として表現しようとするものであり、検査対象の多様な変化（背景輝度や欠陥形状等）を考慮している。尚、計量単位“Ｓｅｍｕ”は、２００２年にＳＥＭＩスタンダードにおいて提案されているものである。
【００１２】
図３０は、縞パターンの例を示すイメージ図である。ＭＴＦ特性とは、同図に示すような明暗の正弦波状の縞パターンにおいて、人間が認識感知することのできる限界のコントラスト変化の逆数で表される感度特性である。
【００１３】
図３１は、視角と波数の関係で示す空間周波数の説明図である。或る視角の範囲にある波数の正弦波を表示させたとき、空間周波数は式（１）で表記される。
空間周波数(cpd)＝波数ｎ／視角（°）                                      （１）
【００１４】
認識限界コントラストＣＪＮＤは、感知できる最小輝度変化をΔＬ、背景輝度をＬＢＧとした場合、式（２）で表記される。
ＣＪＮＤ＝ΔＬ・１００／ＬＢＧ                                              （２）
そして、式（１）と式（２）の逆数の関係が、ＭＴＦ特性ＳＭＴＦとなる。
【００１５】
図３２は、空間周波数に対する視覚感度で表されるＭＴＦ特性図である。空間周波数に対する人間の視覚感度は、或る周波数でピークを有する特性曲線となる。即ち、人間の視覚は或る細かさに敏感であることを示している。
【００１６】
図３０に示すような縞パターンから得られるＭＴＦ特性は、１次元のＭＴＦ特性となる。画質検査に用いるためには、２次元のＭＴＦ特性への拡張が必要になる。２次元のＭＴＦ特性への拡張手法は、後述する。
【００１７】
図３３は、図２９信号処理手順を示すフローチャートであり、上述した輝度に対するＭＴＦ特性を利用した信号処理を実行している。処理が開始されると、画像補正手段６１のステップS101で画像データの前処理（シェーディング補正、縮小処理及び平滑化処理等）が実行され、欠陥候補抽出手段６２に渡される。
【００１８】
欠陥候補抽出手段６２のステップS102では、輝点欠陥を目立たせるために微分系の強調フィルタ手段等により欠陥候補強調処理を実行する。ステップS103では、二値化手段等により、あらかじめ設定してある閾値よりも高いレベルのフィルタリング部分を“１”、低いレベルの部分を“０”として欠陥の候補を抽出し、抽出候補の夫々に番号を付与してループ処理Ｌ１を経由して欠陥候補順に特徴量計算手段６３に渡す。
【００１９】
図３４は、欠陥候補の２次元ＭＴＦ特性を導く遷移のイメージ図である。特徴量計算手段６３のステップS104では、欠陥候補抽出手段６２で抽出された欠陥候補を、図３４（Ａ）に示す正規化した欠陥形状に生成する。正規化は、例えば、欠陥候補内部の最大輝度と欠陥候補周辺の輝度から行う。
【００２０】
次にステップS105において、正規化された欠陥形状に対して２次元フーリエ変換等の処理を行い、図３４（Ｂ）に示すように欠陥形状を形成する周波数成分Power(u(h,v))を抽出する。ここで、u(h,v)は空間周波数である。
【００２１】
一方、ステップS106において、空間周波数u(h,v)、背景輝度ＬＢＧ、欠陥の大きさ（X，Y）及び角度方向φ等をそれぞれパラメータとして、図３４（Ｃ）に示すような２次元に拡張されたＭＴＦ特性、ＳＭＴＦ(u(h,v),ＬＢＧ,X,Y,φ)を計算する。
【００２２】
次に、ステップS107において、得られた周波数成分Power(u(h,v))と２次元ＭＴＦ特性ＳＭＴＦ(u(h,v),ＬＢＧ,X,Y,φ)から、式（３）により欠陥形状に対する認識限界コントラストＣＪＮＤを計算する。
【００２３】
【数１】
0005288154.tif 000002
【００２４】
最後に、ステップS108において、欠陥のコントラストCｘと欠陥形状に対する認識限界コントラストＣＪＮＤから、式（４）により欠陥強度(Semu)を計算して判定手段６４に渡す。欠陥のコントラストCｘの情報は、欠陥候補抽出ステップS103から取得することができる。
【００２５】
【数２】
0005288154.tif 000003
【００２６】
判定手段６４では、ステップS109において、特徴量計算手段６３で計算された欠陥強度(Semu)と予め設定された閾値とを比較して欠陥であるか否かを判断し、もし、欠陥であると判断された場合には、ステップS110において、検出された欠陥の情報を出力データにまとめる。
【００２７】
ループ処理Ｌ１及びＬ２により、特徴量計算手段６２及び判定手段６３の処理は、欠陥候補抽出手段６２で抽出された全ての候補領域に対して実行される。
【００２８】
【特許文献１】特開２００５−３２６３２３号公報
【非特許文献１】情学誌,Vol.60, No.5, p129-136, 2006          「視覚系空間周波数特性に基づく輝度ムラ強度定量化手法」岸卓人
【発明の開示】
【発明が解決しようとする課題】
【００２９】
輝度に対するＭＴＦ特性を利用した画質検査装置では、以下の問題があげられる。
（１）欠陥の形状、大きさは多様であり、夫々に対応する検査アルゴリズムを開発する必要が生じる。検査アルゴリズムの開発には、莫大な工数を要する。
【００３０】
（２）新規の欠陥が発生した場合には、それに対応する検査アルゴリズムを開発するための工数が発生し、開発期間中には、不良品の流出を防ぐために目視検査を要することとなりコストがかかる。
【００３１】
（３）判定特徴量がＭＴＦ特性に基づく客観的な数値として定量化されることにより、判定閾値のチューニング工数は削減できるものの、欠陥強調のパラメータや２値化閾値等、欠陥領域を抽出するためのチューニング工数を削減するものではない。欠陥領域を抽出するための閾値設定の方法は、その欠陥に対応するアルゴリズムにより多様である。
【００３２】
本発明は上述した問題点を解決するためになされたものであり、以下の機能実現を目的としている。
（１）欠陥形状・サイズに捉われることなく目立つ領域を欠陥領域として抽出し、且つユーザーが直感的に理解しやすい客観的な計量値として欠陥強度を数値化する高精度な画質検査装置を実現する。
（２）新規の欠陥の検出を可能とし、新規の検査アルゴリズムの開発コストの削減、検査アルゴリズム開発期間中の不良品の流出の削減を実現する画質検査装置を提供する。
（３）欠陥形状・サイズに依存する抽出処理を持たず、欠陥領域抽出に関するチューニング工数の大幅な削減を実現する画質検査装置を提供する。
【課題を解決するための手段】
【００３３】
このような課題を達成するために、本発明は次の通りの構成になっている。
（１）検査対象の画像データを取り込み、取り込んだ画像データを演算処理して欠陥を検出する演算制御部を有する画質検査装置において、
前記演算制御部は、
前記画像データの領域を隣り合う領域に重なりを持たせて複数領域に分割する分割領域設定手段と、
分割された各領域の形状に対して、欠陥形状・サイズに依存する抽出処理をすることなく、コントラストと、空間周波数に対する感度特性ＭＴＦを利用した認識限界感度モデルを使用して得られる認識限界コントラストとの比に基づいて欠陥強度を算出する、前記各領域に対する同一の特徴量計算手段と、
算出された前記欠陥強度と予め設定された閾値とを比較し、前記分割領域が欠陥であるか否かを判定する判定手段と、
を備えることを特徴とする画質検査装置。
【００３４】
（２）検査対象の画像データを取り込み、取り込んだ画像データを演算処理して欠陥を検出する演算制御部を有する画質検査装置において、
前記演算制御部は、
取り込んだ前記画像データより複数の反対色画像データを生成する反対色画像生成手段と、
前記反対色画像データ毎にその領域を隣り合う領域に重なりを持たせて複数領域に分割する分割領域設定手段と、
分割された各領域の形状に対して、欠陥形状・サイズに依存する抽出処理をすることなく、コントラストと、空間周波数に対する感度特性ＭＴＦを利用した認識限界感度モデルを使用して得られる認識限界コントラストとの比に基づいて反対色成分毎の欠陥強度を算出する、前記各領域に対する同一の特徴量計算手段と、
算出された前記欠陥強度と予め設定された閾値とを比較し、前記分割領域が欠陥であるか否かを判定する判定手段と、
を備えることを特徴とする画質検査装置。
【００３６】
（３）前記演算制御部は、取り込んだ前記画像データに対してシェーディング補正、縮小処理及び平滑化処理の少なくともいずれかを実行する画像補正手段を備えることを特徴とする（１）または（２）に記載の画質検査装置。
【００３７】
（４）前記演算制御部は、取り込んだ前記画像データに対して多段階の縮小処理及び平滑化処理を実行する画像補正手段を備えることを特徴とする（１）乃至（３）のいずれかに記載の画質検査装置。
【００３８】
（５）前記演算制御部は、各分割領域において前記判定手段により欠陥である判定された欠陥強度より分類特徴量を算出し、予め設定している閾値と比較して欠陥種類を分類する欠陥分類手段を備えることを特徴とする請求項１乃至４のいずれかに記載の画質検査装置。
【００３９】
（６）前記欠陥分類手段は、予め設定している前記閾値との比較において分類できない欠陥強度領域を新規の欠陥として分類することを特徴とする（５）に記載の画質検査装置。
【００４０】
（７）検査対象の画像データを取り込んで前記演算制御部に渡す画像取り込み部と、前記演算制御部より渡される画質検査結果を表示する表示部を備えることを特徴とする（１）乃至（６）のいずれかに記載の画質検査装置。
【００４１】
（８）検査対象の前記画像データは、赤、緑、青の各波長帯域の光を夫々透過させるフィルタとモノクロカメラを具備する撮像機器より取得することを特徴とする（１）乃至（７）のいずれかに記載の画質検査装置。
【００４２】
（９）検査対象の前記画像データは、シアン、マゼンタ、イエローの各波長帯域の光を夫々透過させるフィルタとモノクロカメラを具備する撮像機器より取得することを特徴とする（１）乃至（７）のいずれかに記載の画質検査装置。
【００４３】
（１０）検査対象の前記画像データは、色関数の各波長帯域の光を夫々透過させるＸＹＺフィルタとモノクロカメラを具備する撮像機器より取得することを特徴とする（１）乃至（７）のいずれかに記載の画質検査装置。
【００４４】
（１１）検査対象の前記画像データは、ｘｙ表色系等で示される色度図上の独立した少なくとも３点の色度フィルタとモノクロカメラを具備する撮像機器より取得することを特徴とする（１）乃至（７）のいずれかに記載の画質検査装置。
【００４５】
（１２）前記演算制御部は、前記検査対象の色度情報を２次元色彩計より取得することを特徴とする（１）乃至（１１）のいずれかに記載の画質検査装置。
【００４６】
（１３）前記演算制御部は、事前に取得したカメラの感度特性情報を取得し、反対色成分への変換を実行することを特徴とする（１）至（１２）のいずれかに記載の画質検査装置。
【００４７】
（１４）前記カメラの感度特性情報は、カメラ出力値−三刺激値変換パラメータあるいはカメラ出力値−輝度値変換パラメータのいずれかであることを特徴とする（１３）に記載の画質検査装置。
【００４８】
（１５）前記検査対象の色度情報を計測する分光輝度計により取得される情報から、前記カメラの感度特性情報を生成する変換パラメータ生成手段を備えることを特徴とする（１３）または（１４）に記載の画質検査装置。
【００４９】
（１６）前記演算制御部は、前記検査対象の各反対色成分に対するＭＴＦ特性パラメータを外部から取得することを特徴とする（１）乃至（１５）のいずれかに記載の画質検査装置。
【００５０】
（１７）前記モノクロカメラは、撮像素子と撮像レンズの間に複屈折素子を具備することを特徴とする（８）乃至（１１）のいずれかに記載の画質検査装置。
【００５１】
（１８）前記演算制御部は、比較する２組の画像データを入力し、２組の総合的な欠陥強度を比較することにより、画像劣化、印刷物変化、塗装物変化の少なくともいずれかを判定することを特徴とする請求項１乃至１７のいずれかに記載の画質検査装置。
【００５２】
（１９）前記画像データは、参照光源を撮像する検査対象撮像デバイスまたは検査対象撮像デバイスから投影される画像を撮影する撮像機器より取得することを特徴とする（８）乃至（１８）のいずれかに記載の画質検査装置。
【発明の効果】
【００５３】
本発明によれば、次のような効果を期待することができる。
（１）欠陥形状・サイズに捉われることなく、人間が目立つと感じる領域を欠陥領域として抽出し、且つユーザーが直感的に理解しやすい客観的な計量値として欠陥強度を数値化することが可能となる。
【００５４】
（２）分割領域全体の周波数成分を利用して、欠陥強度を判断するので、図２７（Ａ），（Ｂ）のような単体の欠陥だけでなく、図２７（Ｃ），（Ｄ）のような周期的な欠陥についても、周波数、向きに捉われることなく、検出が可能となる。
【００５５】
（３）欠陥形状を意識せず、各分割領域の目立ち具合で欠陥か否かの判断が行われるので、新規の欠陥の検出を可能とし、新規の検査アルゴリズムの開発コストの削減、検査アルゴリズム開発期間中の不良品の流出の削減を実現できる。
【００５６】
（４）欠陥形状・サイズに依存する抽出処理を持たないので、欠陥領域抽出に関するチューニング工数の大幅な削減を実現できる。
【発明を実施するための最良の形態】
【００５７】
以下、本発明を図面により詳細に説明する。図１は、本発明を適用した画質検査装置の一実施形態を示す機能ブロック図である。図２９で説明した従来装置と同一要素には同一符号を付して説明を省略する。
【００５８】
図２９の従来装置との比較における本発明の構成上の特徴部は、演算制御部６０の構成にある。即ち、図２９の欠陥候補抽出手段６２に代えて分割領域設定手段１００が新規手段として導入されている構成にある。
【００５９】
図２は、分割領域設定手段１００による画像データの領域分割の手法を説明するイメージ図である。図２（Ａ）のように、設定されたサイズの分割領域を、互いに重複させながら設定された移動幅で横方向に移動し、これを（Ｂ）のように上下方向に走査しながら移動して検査対象の全パネル領域に対応する画像データを複数の領域に分割する。
【００６０】
特徴量計算手段６３及び判定手段６４による処理は、分割された各領域に対して順次実行され、各分割領域での判定結果が出力される。
【００６１】
図３は、図１の信号処理手順を示すフローチャートである。画像補正手段６１では、従来装置と同様に、ステップS201において、前処理として、画像取込手段５１から入力された画像データに対して、光学特性の補正、シェーディング補正、欠陥サイズへの対応及び高周波ノイズ除去等のため、縮小処理及び平滑化処理等実行して分割領域設定手段１００に渡す。
【００６２】
分割領域設定手段１００では、ステップS202において、特徴量計算手段６３、判定手段６４を動作させる分割領域のサイズ、移動幅などを設定する。分割領域を半ブロックずつずらして設定することにより、領域をまたがって欠陥が存在する場合にも対応する。
【００６３】
このとき、分割領域のサイズを大きくすれば、サイズの大きな欠陥あるいは低周波の欠陥に対応可能となり、小さくしていけば、サイズの小さな欠陥あるいは高周波の欠陥に対応可能となる。分割された画像データは、ループ処理Ｌ１を介して順次特徴量計算手段６３に渡される。
【００６４】
特徴量計算手段６３は、ステップS203において、分割領域設定手段１００で設定された各分割領域を正規化した画像を生成する。正規化は、例えば、欠陥候補内部の最大最小の輝度と平均輝度から行う。
【００６５】
次にステップS204において、正規化された分割領域に対して２次元フーリエ変換等の処理を行い、分割領域内の形状を形成する周波数成分Power(u(h,v))を抽出する。ここで、
u(h,v)は空間周波数である。
【００６６】
一方、ステップS205において、空間周波数u(h,v)、背景輝度ＬＢＧ、分割領域の大きさ
（X，Y）及び角度方向φを夫々パラメータとして、２次元に拡張されたＭＴＦ特性
ＳＭＴＦ(u(h,v),ＬＢＧ,X,Y, φ)を計算する。
【００６７】
次に、ステップS206において、得られた周波数成分Power(u(h,v))と２次元ＭＴＦ特性
ＳＭＴＦ(u(h,v),ＬＢＧ,X,Y, φ)から、前出の式（３）により分割領域内の形状に対する認識限界コントラストＣＪＮＤを計算する。
【００６８】
最後に、ステップS207において、分割領域内の欠陥のコントラストCｘと分割領域内の形状に対する認識限界コントラストＣＪＮＤから、前出の式（４）により分割領域の欠陥強度
(Semu)を算出して判定手段６４に渡す。
【００６９】
判定手段６４では、ステップS208において、特徴量計算手段６３で計算された欠陥強度
(Semu)と予め設定された閾値とを比較して分割領域が欠陥であるか否かを判断し、もし、欠陥があると判断された場合には、ステップS209において、検出された分割領域の情報を出力データにまとめ、ループ処理Ｌ２を経由して終了する。
【００７０】
ループ処理Ｌ１及びＬ２により、特徴量計算手段６３及び判定手段６４は、分割領域設定手段１００で設定された全ての分割領域に対して上記処理を実行する。
【００７１】
以下、図４乃至図２６により、本発明を応用した他の実施形態を説明する。図４は、画像補正手段６１内で多段階縮小処理を行なう機能を備えた本発明の他の実施形態の動作を説明するフローチャートである。
【００７２】
画像補正手段６１では、まずステップS301において、前処理として、画像取込手段５１から入力された画像データに対して、光学特性の補正、シェーディング補正を行い、ステップS302において縮小処理及び平滑化処理等を行う。
【００７３】
多段階縮小処理された各縮小画像は、ループ処理Ｒ１、Ｒ２により、分割領域設定手段１００、特徴量計算手段６３、判定手段６４の処理を、縮小平滑処理の実行数に応じて繰り返し実行する。
【００７４】
分割領域設定手段１００、特徴量計算手段６３、判定手段６４のステップS303〜ステップS310までの処理は、図３で説明したループ処理Ｌ１，Ｌ２を含むステップS202〜ステップS209までの処理と同一である。
【００７５】
このような多段階縮小処理の実行により、広範囲の欠陥サイズ・周波数への対応及び高周波ノイズ除去等の効果を期待することができる。
【００７６】
図５は、欠陥分類手段を備える本発明の他の実施形態を示す機能ブロック図である。図１と比較した構成上の特徴は、判定手段６４の後に欠陥分類手段２００を設けた構成にある。
【００７７】
図６は、図５の信号処理手順を示すフローチャートである。画像補正手段６１、分割領域設定手段１００、特徴量計算手段６３、判定手段６４のステップS401〜ステップS408までの処理は、図３で説明したループ処理Ｌ１，Ｌ２を含むステップS201〜ステップS209までの処理と同一である。
【００７８】
欠陥分類手段２００においては、ステップS409にて欠陥種類の識別に使用する特徴量を算出する。識別に使用する特徴量としては、例えば、欠陥のサイズ、コントラスト、欠陥を特徴付ける周波数帯域の周波数スペクトル等が上げられる。
【００７９】
次に、ステップS410では算出された特徴量と分類したい欠陥種類に応じて予め設定された閾値との比較を行い、欠陥種類に分類する。いずれかの欠陥種類に該当する場合には、ステップS411にて、分類された欠陥として、その欠陥領域の情報を出力する。いずれの欠陥種類にも該当しない場合には、ステップS412にて、新規の欠陥としてその欠陥領域の情報を出力する。
【００８０】
欠陥分類手段２００の追加により、欠陥種類の分類が可能となり、その欠陥の発生する要因を特定し、前工程（パネルの製造工程）にフィードバックをかけることが可能となり、歩留まりを最小限に抑えることができる。
【００８１】
図７は、カメラ出力値−輝度値変換パラメータ情報を入力する本発明の他の実施形態を示す機能ブロック図である。図１と比較した構成上の特徴は、カメラ出力値−輝度値変換パラメータデータベース３００の情報を演算制御部６０に渡す構成にある。
【００８２】
ここで、カメラ出力値-輝度値変換パラメータは、画像補正手段６１、特徴量計算手段６３、判定手段６４の全てあるいは一部に渡される。実際の輝度値の情報を入力することにより、精度の高い感度計算が可能になる。
【００８３】
図８は、色ムラに対応した機能を備える画像検査システムの基本構成図である。図２８で説明した画像検査システムの撮像機器２０との相違点は、モノクロカメラ２１の撮影レンズと検査対象表示デバイス１０との間には、ＲＧＢカラーフィルタを有するターレット２２が挿入された構成にある。
【００８４】
ターレット２２は、ステッピングモータやサーボモータ等の回転駆動部に支持されて高速に回転、位置決めが可能な構造となっている。また、ターレット２２は撮影シーケンスと連動してプログラマブルに回転し、高速に任意のフィルタ選択が可能である。
【００８５】
ここで、図８に示すようなターレット２２とモノクロカメラ２１を組み合わせた構成ではなく、ターレットを用いずにカラーフィルタを内蔵した３ＣＣＤカメラによる構成も可能である。
【００８６】
また、ＲＧＢカラーフィルタの代わりに、シアン、マゼンダ、イエローの各波長帯域の光をそれぞれ透過させるフィルタを用いる構成、あるいは、モノクロカメラの分光特性も考慮したうえで、ＸＹＺ三刺激値の画像を直接撮像できるように設計し、ｘ，ｙ，ｚの各波長帯域の光を夫々透過させるＸ，Ｙ，Ｚフィルタを用いる構成、あるいは、ｘｙ表色系等で示される色度図上の独立した少なくとも３点の色度フィルタを用いる構成も可能である。
【００８７】
更に、ターレット２２とモノクロカメラ２１を組み合わせた構成ではなく、ターレットを用いずに２次元色彩計を使用して、ＸＹＺ三刺激値の画像を直接入力する構成も可能である。
【００８８】
図９は、複屈折フィルタを備えるモノクロカメラの構成図である。モノクロカメラ２１の撮像素子（図示せず）と撮像レンズ２３との間に、複屈折フィルタ２４を挿入した構成を特徴としている。
【００８９】
検査対象表示デバイス１０が、高精細なフラットパネルの形態では、例えばブラックマトリクスや画素開口部などの規則正しいパターンの繰り返しである。また、ＣＣＤ等の撮像素子も極正確なパターンの繰り返しであることから、モアレが発生してしまう。
【００９０】
モアレが発生すると画質検査に影響を与え、誤検出や検出漏れの可能性が大きくなる。そこで複屈折フィルタを撮像素子の前に入れてモアレを軽減する処置を行うことでモアレ軽減の処置を施すことが好ましい。この手法は、固体撮像素子カメラでは良く行われる、
【００９１】
このような種々の構成が可能な撮像機器２０により、検査対象表示デバイス１０の画像は、ＲＧＢ各色に対応して３０ａ，３０ｂ，３０ｃのカラー画像データとして出力され、画像演算ＰＣ４０に渡される。
【００９２】
図１０は、色ムラに対応した本発明の他の実施形態を示す機能ブロック図である。ここで、演算制御部４０には、ＲＧＢカラーフィルタに対する３枚の画像データ３０ａ，３０ｂ，３０ｃが画像取り込み手段５１を介して取り込まれる。
【００９３】
取り込まれた各画像データ３０ａ，３０ｂ，３０ｃに対し、画像補正手段６１でレンズの収差などを補正した画像を生成した後、反対色画像生成手段６５により補正された画像を反対色成分画像に変換する。
【００９４】
変換された反対色成分画像は、特徴量算出領域を設定する分割領域設定手段１００により領域分割され、分割領域毎の各反対色成分の画像データ６６ａ，６６ｂ，６６ｃに対して特徴量計算手段６３ａ，６３ｂ，６３ｃにより、認識限界コントラストに対する欠陥のコントラストの比として反対色成分に対する欠陥の強度を算出する。
【００９５】
判定手段６４は、特徴量計算手段６３ａ，６３ｂ，６３ｃで計算された分割領域毎の反対色欠陥強度を入力し、色ムラとしての総合的な欠陥強度を算出し、予め設定された閾値とを比較して欠陥であるか否かを判断する。
【００９６】
ここで、この実施形態の特徴部である反対色画像生成手段６５の機能を説明する。反対色成分とは、Heringの反対色説（網膜には、白−黒、赤−緑、青−黄に応答する３種の受光器が存在し、すべての色の特性は、これらの受光器の応答量の割合で示される）に基づくものであり、黄色味の赤色はあるが、緑色味の赤色はない、という経験的事実を良く説明し、人間の色覚特性を良く表すものである。w/kは輝度成分であり、r/gは赤−緑、b/yは青−黄に対する色度成分である。
【００９７】
三刺激値（X, Y, Z）から反対色成分(w/k, r/g, b/y)の各値(wk, rg, by)への変換は、式（５）に示す行列演算により行われる。
【００９８】
【数３】
0005288154.tif 000004
【００９９】
参考までに示せば、図１３は、波長に対する三刺激波値（X, Y, Z）の関係を示す特性図である。図１４は、反対色成分(w/k, r/g, b/y)の波長感度特性図である。図１５は、反対色成分(w/k, r/g, b/y)のＭＴＦ特性図である。
【０１００】
これらの特性より明らかなように、輝度成分w/kは、或る周波数でピークを有する特性曲線となり、図３２に示す空間周波数に対するＭＴＦと同様の傾向を有し、人間の輝度成分に対する視覚は或る細かさに敏感であることを示している。これに対し、色度成分r/g、
b/yは、高周波に向かうほど、感度が低下する特性曲線を有し、輝度成分に対する傾向とは異なる傾向となる。
【０１０１】
図１０の機能ブロック図に戻り、動作を説明する。図１１は、図１０で示した機能ブロック図の信号処理手順の前半を示すフローチャートである。図１２は、図１０の信号処理手順の後半を示すフローチャートである。
【０１０２】
まず、画像補正手段６１では、ステップS501にて、前処理として、画像取得手段５１より入力された各ＲＧＢカラーフィルタに対応する撮像画像データ３０ａ，３０ｂ，３０ｃに対し、光学特性の補正、欠陥サイズへの対応及び高周波ノイズ除去等のため、シェーディング補正、縮小処理及び平滑化処理等を行い、反対画像生成手段６５に渡す。
【０１０３】
反対色画像生成手段６５では、ステップS502にて、ＲＧＢカラーフィルタに対応する撮像画像データを、３枚の三刺激値画像（X, Y, Z）に変換し出力する。ステップS503にて、入力され三激値画像を３枚の反対色成分画像(w/k, r/g, b/y)に変換し、出力する。ここで、ＸＹＺ画像が直接入力される場合には、ステップS502の処理は行わない。
【０１０４】
図１２に進み、分割領域設定手段１００では、ステップS504において、特徴量計算手段６３、判定手段６５を動作させる分割領域のサイズ、移動幅などを設定して分割し、分割された反対色成分画像データ６６ａ，６６ｂ，６６ｃを、ループ処理Ｌ１を介して特徴量計算手段６３に渡す。
【０１０５】
特徴量計算手段６３では、分割された各反対色成分画像データ６６ａ，６６ｂ，６６ｃに対して並列的な処理を行う。反対色成分画像データ６６ａを代表として処理の手順を説明する。
【０１０６】
ステップS505において、反対色成分画像データ６６ａでの欠陥候補領域を各反対色成分で正規化した欠陥形状を生成する。次にステップS506において、正規化された欠陥形状に対して２次元フーリエ変換等の処理を行い、各反対色成分において欠陥領域を形成する周波数成分Powerｗｋ(u(h,v))、Powerｒｇ(u(h,v))、Powerｂｙ(u(h,v))を抽出する。
【０１０７】
同時に、ステップS507において、空間周波数u(h,v)、反対色成分の背景値ｗｋｂｇ、
ｒｇｂｇ、ｂｙｂｇ、欠陥候補領域の大きさ（Ｘ，Ｙ）及び角度方向φを夫々パラメータとして各反対色成分(w/k, r/g, b/y)における２次元ＭＴＦ特性Ｓｗｋ(u(h,v),ｗｋＢＧ,X,Y,φ)、Ｓｒｇ(u(h,v),ｒｇＢＧ,X,Y, φ)、Ｓｂｙ(u(h,v),ｂｙＢＧ,X,Y, φ)を計算する。
【０１０８】
次に、ステップS508において、各反対色成分(w/k, r/g, b/y)より得られた周波数成分
Powerｗｋ(u(h,v))、Powerｒｇ(u(h,v))、Powerｂｙ(u(h,v))と２次元ＭＴＦ特性Ｓｗｋ(u(h,v),ｗｋＢＧ,X,Y, φ)、Ｓｒｇ(u(h,v),ｒｇＢＧ,X,Y, φ)、Ｓｂｙ(u(h,v),ｂｙＢＧ,X,Y, φ)から、式（６）、式（７）、式（８）により各反対色成分(w/k, r/g, b/y)における欠陥形状に対する認識限界コントラストＣＪＮＤｗｋ、ＣＪＮＤｒｇ、ＣＪＮＤｂｙを計算する。
【０１０９】
【数４】
0005288154.tif 000005
【０１１０】
【数５】
0005288154.tif 000006
【０１１１】
【数６】
0005288154.tif 000007
【０１１２】
最後に、ステップS509において、各反対色成分(w/k, r/g, b/y)における欠陥のコントラストＣｗｋ、Ｃｒｇ、Ｃｂｙと欠陥形状に対する認識限界コントラストＣＪＮＤｗｋ、ＣＪＮＤｒｇ、
ＣＪＮＤｂｙから、式（９）、式（１０）、式（１１）により各反対色成分(w/k, r/g, b/y)における欠陥強度Ｓｅｍｕｗｋ、Ｓｅｍｕｒｇ、Ｓｅｍｕｂｙを計算する。
【０１１３】
【数７】
0005288154.tif 000008
【０１１４】
【数８】
0005288154.tif 000009
【０１１５】
【数９】
0005288154.tif 000010
【０１１６】
特徴量計算手段６３の、他の反対色画像データ６６ｂ及び６６ｃに対する処理も、ステップS505〜S509の処理と同様であり、並列処理された各反対色欠陥強度情報は、判定手段６４に渡される。
【０１１７】
判定手段６４では、ステップS510において、特徴量計算手段６３により算出された各反対色成分(w/k, r/g, b/y)における欠陥強度Ｓｅｍｕｗｋ、Ｓｅｍｕｒｇ、Ｓｅｍｕｂｙを統合して、色ムラとしての総合的な欠陥強度(Semu)を算出する。
【０１１８】
ステップS511において、計算された総合的な欠陥強度(Semu)と予め設定された閾値とを比較して欠陥であるか否かを判断し、もし、欠陥であると判断された場合には、ステップS512において、検出された欠陥の情報を出力データにまとめる。
【０１１９】
このように、色ムラに対しても反対色画像データの欠陥強度を算出することで、図１の実施形態と同一の効果（１），（２），（３）を期待することが可能である。
【０１２０】
図１６は、欠陥分類手段を備える本発明の他の実施形態を示す機能ブロック図であり、色ムラに対応する図１０の実施形態における判定手段６４の後に欠陥分類手段４００を追加した構成を特徴としている。
【０１２１】
図１７は、図１６の信号処理手順の後半を示すフローチャートである。前半のフローチャートは図１１と同一である。図１７において、分割領域設定手段のステップS504より判定手段６４のステップS511までのステップも図１２と同一である。
【０１２２】
欠陥分類手段４００において、ステップS513にて欠陥種類の識別に使用する特徴量を算出する。識別に使用する特徴量としては、例えば、欠陥のサイズ、コントラスト、欠陥を特徴付ける周波数帯域の周波数スペクトルの他、色ムラについては、色度情報等も算出する。
【０１２３】
ステップS514にて、算出された特徴量と分類したい欠陥種類に応じて予め設定された閾値との比較を行い、所定の欠陥種類に分類する。いずれかの欠陥種類に該当する場合には、ステップS515にて、分類された欠陥としてその欠陥領域の情報を出力する。いずれの欠陥種類にも該当しない場合には、ステップS516にて、新規尾低野の欠陥としてその欠陥領域の情報を出力する。
【０１２４】
図１８は、カメラ出力値−三刺激値変換パラメータ情報を入力する本発明の他の実施形態を示す機能ブロック図である。構成上の特徴は、色ムラに対応した実施形態図１０の構成に対し、カメラ出力値−三刺激値変換パラメータを保持するデータベース５００の情報を演算制御部６０の反対色画像生成手段６５に渡す構成にある。実際の三刺激値の情報を入力することにより、精度の高い感度計算が可能になる。
【０１２５】
図１９は、分光輝度計を備える撮像機器の構成を示す斜視図である。モノクロカメラ２１と併設して、検査対象表示デバイス１０の三刺激値を測定する分光輝度計７０を備えている構成を特徴としている。
【０１２６】
図２０は、分光輝度計データを入力する変換パラメータ生成部を備える本発明の他の実施形態を示す機能ブロック図である。色ムラに対応した実施形態図１０の構成に対し、分光輝度計７で測定された分光輝度データ７０ａを入力する変換パラメータ生成部６００を追加した構成を特徴としている。分光輝度の測定は、検査対象表示デバイス１０の変更時、ロット変更時、デバイス品種の変更時、あるいはメンテナンス時に行う。
【０１２７】
変換パラメータ生成手段６０１は、三刺激値を測定した分光輝度データ７０ａ及びＲＧＢ画像データ３０ａ，３０ｂ，３０ｃを入力し、その補正機能により、カメラ出力値-三刺激値変換パラメータを生成し、データベース６０２に保持する。
【０１２８】
データベース６０２のパラメータ情報は、反対色画像生成手段６５に渡される。検査対象表示デバイス１０をリアルタイムに測定した分光輝度データに基づいて三刺激値変換パラメータを使用することで、光源や撮像装置のバラツキや経時変化にも対応した欠陥強度算出を可能にする。
【０１２９】
図２１は、認識限界感度モデルパラメータ情報を入力する本発明の他の実施形態を示す機能ブロック図であり、図１に示す実施形態に、認識限界感度モデルパラメータ情報を保持するデータベース７００を追加した構成を特徴としている。
【０１３０】
図２２は、認識限界感度モデルパラメータ情報を入力する、色ムラに対応した本発明の他の実施形態を示す機能ブロック図であり、図１０に示す色ムラに対応した実施形態に対し、認識限界感度モデルパラメータ情報を保持するデータベース８００を追加した構成を特徴としている。
【０１３１】
認識限界感度モデルパラメータ情報を外部ファイルとして有し、これを演算制御部６０に入力して欠陥強度を算出する。この認識限界感度モデルパラメータは、特徴量計算手段６３及び判定手段６４の一部あるいは全部に渡される。
【０１３２】
このように、認識限界感度モデルパラメータを外部から入力することにより、メンテナンス性を向上し、精度の高い感度計算が可能になる。例えば、検査対象表示デバイスの特性をリアルタイムに測定し、その測定データから認識限界感度モデルパラメータを生成し使用することで、デバイス間の特性のばらつきや経時変化にも対応した欠陥強度算出を可能にする。
【０１３３】
図２３は、検査対象が撮像デバイスである画質検査システムの基本構成図である。検査対象の撮像デバイス８０の３ＣＣＤカメラ８１により参照光源９０を撮像したＲＧＢ画像データ３０ａ，３０ｂ，３０ｃにより、撮像デバイス自身の欠陥を検査する。信号処理の手順は、表示デバイスの検査と同一である。ＣＣＤ、ＣＭＯＳ等の撮像デバイスにも適用可能である。尚、検査対象がモノクロの場合、１枚のモノクロ画像データを入力する。
【０１３４】
図２４は、検査対象撮像デバイスの投影画像を撮影する画質検査システムの基本構成図である。検査対象撮像デバイス９０による投影像９０ａを撮像機器２０により撮影したＲＧＢ画像データ３０ａ，３０ｂ，３０ｃにより、撮像デバイス９０自身の欠陥を検査する。信号処理の手順は表示デバイスの検査と同一である。本発明は、プロジェクタ用液晶等の投影デバイスにも適用可能である。またモノクロ、カラーいずれの投影デバイスにも適用可能である。
【０１３５】
図２５は、２種の画質データの差分評価を実行する本発明の他の実施形態を示す機能ブロック図である。画像データ３０Ａと比較する画像データ３０Ｂ（例えば画像データ３０Ａを圧縮した画像や画像データ３０Ａを伝送した画像）を入力する。
【０１３６】
入力した夫々の画像に対して、分割領域設定手段１００Ａ，１００Ｂで領域分割し、特徴量計算手段６３Ａ，６３Ｂで欠陥強度を計算し、判定手段６４Ａ，６４Ｂによる判定結果を比較判定手段６７に渡して差分を評価する。
【０１３７】
図２６は、２種の画質データの差分評価を実行する、色ムラに対応した本発明の他の実施形態を示す機能ブロック図である。入力した画像データ３０Ａと比較する画像データ３０Ｂに対して反対色画像生成手段６５Ａ，６５Ｂで３個の反対色成分に変換し、分割領域設定手段１００Ａ，１００Ｂで領域分割する。
【０１３８】
画像データ３０Ａに基づく３個の反対色画像データ６６Ａａ，６６Ａｂ，６６Ａｃは、夫々特徴量計算手段６３Ａａ，６３Ａｂ，６３Ａｃで欠陥強度を計算し、判定手段６４Ａに入力され欠陥の判定が実行される。
【０１３９】
同様に、画像データ３０Ｂに基づく３個の反対色画像データ６６Ｂａ，６６Ｂｂ，６６Ｂｃは、夫々特徴量計算手段６３Ｂａ，６３Ｂｂ，６３Ｂｃで欠陥強度を計算し、判定手段６４Ｂに入力され欠陥の判定が実行される。判定手段６４Ａ，６４Ｂによる判定結果を比較判定手段６７に渡して差分を評価する。
【０１４０】
このような画像データ評価手法を採用することにより、画像データの差分や劣化を視覚の認識限界感度に基づいた定量的な値で評価でき、客観的に理解しやすい評価値を算出することで、個々の形状に対する劣化の客観的な評価が容易となる。
【０１４１】
この評価の手法は、例えば以下のような対象に利用することができる
（１）画像圧縮性能評価：圧縮前後の画像を画像データＡ，Ｂに設定することにより行う。
（２）画像伝送性能評価：伝送前後の画像を画像データＡ，Ｂに設定することにより行う。
（３）印刷物変化の検査：マスタの印刷物を撮像した画像を画像データＡに、その後印刷したものを撮像した画像を画像Ｂに設定することにより行う。
（４）塗装物変化の検査：照明条件、対象物位置精度を安定させ、あるいは、画像処理による照明条件補正機能、対象物位置補正機能を付加し、マスタとなる塗装物を撮像した画像を画像データＡに、その後塗装したものを撮像した画像を画像Ｂに設定することにより行う。
【図面の簡単な説明】
【０１４２】
【図１】本発明を適用した画質検査装置の一実施形態を示す機能ブロック図である。
【図２】画像データの領域分割の手法を説明するイメージ図である。
【図３】図１の信号処理手順を示すフローチャートである。
【図４】多段階縮小処理を行なう本発明の他の実施形態の動作を示すフローチャートである。
【図５】欠陥分類手段を備える本発明の他の実施形態を示す機能ブロック図である。
【図６】図５の信号処理手順を示すフローチャートである。
【図７】カメラ出力値−輝度値変換パラメータ情報を入力する本発明の他の実施形態を示す機能ブロック図である。
【図８】色ムラに対応した機能を備える画像検査システムの基本構成図である。
【図９】複屈折フィルタを備えるモノクロカメラの構成図である。
【図１０】色ムラに対応した本発明の他の実施形態を示す機能ブロック図である。
【図１１】図１０の信号処理手順の前半を示すフローチャートである。
【図１２】図１０の信号処理手順の後半を示すフローチャートである。
【図１３】波長に対する三刺激波値の関係を示す特性図である。
【図１４】反対色成分の波長感度特性図である。
【図１５】反対色成分のＭＴＦ特性図である。
【図１６】欠陥分類手段を備える本発明の他の実施形態を示す機能ブロック図である。
【図１７】図１６の信号処理手順の後半を示すフローチャートである。
【図１８】カメラ出力値−三刺激値変換パラメータ情報を入力する本発明の他の実施形態を示す機能ブロック図である。
【図１９】分光輝度計を備える撮像機器の構成を示す斜視図である。
【図２０】分光輝度計データを入力する変換パラメータ生成部を備える本発明の他の実施形態を示す機能ブロック図である。
【図２１】認識限界感度モデルパラメータ情報を入力する本発明の他の実施形態を示す機能ブロック図である。
【図２２】認識限界感度モデルパラメータ情報を入力する、色ムラに対応した本発明の他の実施形態を示す機能ブロック図である。
【図２３】検査対象が撮像デバイスである画質検査システムの基本構成図である。
【図２４】検査対象撮像デバイスの投影画像を撮影する画質検査システムの基本構成図である。
【図２５】２種の画質データの差分評価を実行する本発明の他の実施形態を示す機能ブロック図である。
【図２６】２種の画質データの差分評価を実行する、色ムラに対応した本発明の他の実施形態を示す機能ブロック図である。
【図２７】ムラ欠陥の例を示すイメージ図である。
【図２８】表示デバイスを検査対象とする画質検査システムの基本構成図である。
【図２９】従来の画質検査装置の構成例を示す機能ブロック図である。
【図３０】縞パターンの例を示すイメージ図である。
【図３１】視角と波数の関係で示す空間周波数の説明図である。
【図３２】空間周波数に対する視覚感度で表されるＭＴＦ特性図である。
【図３３】図２９の信号処理手順を示すフローチャートである。
【図３４】欠陥候補の２次元ＭＴＦ特性を導く遷移のイメージ図である。
【符号の説明】
【０１４３】
３０  画像データ
４０  画像演算ＰＣ
５０  画像取り込み部
５１  画像取り込み手段
６０  演算制御部
６１  画像補正手段
６３  特徴量計算手段
６４  判定手段
７０  表示部
７１  画質検査結果
１００  分割領域設定手段
【図１】
0005288154.tif 000011
【図２】
0005288154.tif 000012
【図３】
0005288154.tif 000013
【図４】
0005288154.tif 000014
【図５】
0005288154.tif 000015
【図６】
0005288154.tif 000016
【図７】
0005288154.tif 000017
【図８】
0005288154.tif 000018
【図９】
0005288154.tif 000019
【図１０】
0005288154.tif 000020
【図１１】
0005288154.tif 000021
【図１２】
0005288154.tif 000022
【図１３】
0005288154.tif 000023
【図１４】
0005288154.tif 000024
【図１５】
0005288154.tif 000025
【図１６】
0005288154.tif 000026
【図１７】
0005288154.tif 000027
【図１８】
0005288154.tif 000028
【図１９】
0005288154.tif 000029
【図２０】
0005288154.tif 000030
【図２１】
0005288154.tif 000031
【図２２】
0005288154.tif 000032
【図２３】
0005288154.tif 000033
【図２４】
0005288154.tif 000034
【図２５】
0005288154.tif 000035
【図２６】
0005288154.tif 000036
【図２７】
0005288154.tif 000037
【図２８】
0005288154.tif 000038
【図２９】
0005288154.tif 000039
【図３０】
0005288154.tif 000040
【図３１】
0005288154.tif 000041
【図３２】
0005288154.tif 000042
【図３３】
0005288154.tif 000043
【図３４】
0005288154.tif 000044